(57)【特許請求の範囲】
【請求項１】
現金管理装置本体と、
前記現金管理装置本体に対してスライド開閉可能に設けられ現金が入出庫可能となる複数の収納庫と、
複数の前記収納庫のそれぞれに設けられて前記収納庫を前記現金管理装置本体にロックするロック機構と、
複数の前記ロック機構のロックを個別に解除する制御手段と、
を有する現金管理装置であって、
前記制御手段は、
現金が入出庫される対象収納庫が複数ある場合には、複数の前記対象収納庫の前記ロック機構を共にロックが解除された状態として、複数の前記対象収納庫のそれぞれを他の対象収納庫の引き出し状態によらずに引き出し可能とし、
複数の前記対象収納庫が引き出されると、引き出されている前記対象収納庫の在り高を切り替え可能に表示手段に表示させることを特徴とする現金管理装置。
【請求項２】
現金管理装置本体と、
前記現金管理装置本体に対してスライド開閉可能に設けられ現金が入出庫可能となる複数の収納庫と、
複数の前記収納庫のそれぞれに設けられて前記収納庫を前記現金管理装置本体にロックするロック機構と、
複数の前記ロック機構のロックを個別に解除する制御手段と、
を有する現金管理装置であって、
前記制御手段は、
現金が入出庫される対象収納庫が複数ある場合には、複数の前記対象収納庫の前記ロック機構を共にロックが解除された状態として、複数の前記対象収納庫のそれぞれを他の対象収納庫の引き出し状態によらずに引き出し可能とし、
複数の前記対象収納庫が引き出されると、引き出されている前記対象収納庫の在り高を同時に表示手段に表示させることを特徴とする現金管理装置。
【請求項３】
現金管理装置本体と、
前記現金管理装置本体に対してスライド開閉可能に設けられ現金が入出庫可能となる複数の収納庫と、
複数の前記収納庫のそれぞれに設けられて前記収納庫を前記現金管理装置本体にロックするロック機構と、
複数の前記ロック機構のロックを個別に解除する制御手段と、
を有する現金管理装置であって、
前記制御手段は、
現金が入出庫される対象収納庫が複数ある場合には、複数の前記対象収納庫の前記ロック機構を共にロックが解除された状態として、複数の前記対象収納庫のそれぞれを他の対象収納庫の引き出し状態によらずに引き出し可能とし、
前記対象収納庫が引き出されると、引き出されている前記対象収納庫の在り高を表示手段に表示させることを特徴とする現金管理装置。
【請求項４】
前記制御手段は、前記対象収納庫の引き出しが開始されると、引き出されている前記対象収納庫の在り高を表示手段に表示させることを特徴とする請求項１から３のいずれか一項記載の現金管理装置。
【請求項５】
前記制御手段は、前記対象収納庫が引き出された後に押し込まれると、当該対象収納庫に対して、現金が、前記操作手段に入力された貨幣の種類および数量にしたがって入出庫されたか否かを精査することを特徴とする請求項１から４のいずれか一項記載の現金管理装置。
【発明の詳細な説明】
【技術分野】
【０００１】
本発明は、現金の管理に用いられる現金管理装置に関する。
【背景技術】
【０００２】
本体から引き出し可能に設けられた複数の収納庫に現金を収納し、金種データと入出の区別データと数量データとが入力されて現金の入出庫が行われる現金管理装置がある（例えば特許文献１参照）。
【先行技術文献】
【特許文献】
【０００３】
【特許文献１】特開２０１２−０４８３６３号公報
【発明の概要】
【発明が解決しようとする課題】
【０００４】
上記の現金管理装置においては、現金が入庫される入金処理や、現金が出庫される出金処理、これらの両方が行われる入出金処理等の取引処理が行われる。なお、入出金処理には、同額の現金を種類を変えて入庫および出庫する両替処理が含まれる。そして、一つの取引処理において複数の収納庫に対して現金の入出庫を行う必要がある場合には、操作者が、一つの収納庫を引き出して現金の入出庫を行い、この収納庫を押し込んで閉状態とし、次の一つの収納庫を引き出して現金の入出庫を行い、この収納庫を押し込んで閉状態とする、といった操作を繰り返すことになる。このため、操作者によっては処理効率が低下してしまう可能性がある。
【０００５】
本発明は、上記の点に鑑みなされたもので、処理効率の向上を図ることができる現金管理装置の提供を目的とする。
【課題を解決するための手段】
【０００６】
上記目的を達成するために、請求項１に係る発明は、現金管理装置本体と、前記現金管理装置本体に対してスライド開閉可能に設けられ現金が入出庫可能となる複数の収納庫と、複数の前記収納庫のそれぞれに設けられて前記収納庫を前記現金管理装置本体にロックするロック機構と、複数の前記ロック機構のロックを個別に解除する制御手段と、を有する現金管理装置であって、前記制御手段は、現金が入出庫される対象収納庫が複数ある場合には、複数の前記対象収納庫の前記ロック機構を共にロックが解除された状態として、複数の前記対象収納庫のそれぞれを他の対象収納庫の引き出し状態によらずに引き出し可能とし、複数の前記対象収納庫が引き出されると、引き出されている前記対象収納庫の在り高を切り替え可能に表示手段に表示させることを特徴とする。
【０００７】
請求項２に係る発明は、現金管理装置本体と、前記現金管理装置本体に対してスライド開閉可能に設けられ現金が入出庫可能となる複数の収納庫と、複数の前記収納庫のそれぞれに設けられて前記収納庫を前記現金管理装置本体にロックするロック機構と、複数の前記ロック機構のロックを個別に解除する制御手段と、を有する現金管理装置であって、前記制御手段は、現金が入出庫される対象収納庫が複数ある場合には、複数の前記対象収納庫の前記ロック機構を共にロックが解除された状態として、複数の前記対象収納庫のそれぞれを他の対象収納庫の引き出し状態によらずに引き出し可能とし、複数の前記対象収納庫が引き出されると、引き出されている前記対象収納庫の在り高を同時に表示手段に表示させることを特徴とする。
【０００８】
請求項３に係る発明は、現金管理装置本体と、前記現金管理装置本体に対してスライド開閉可能に設けられ現金が入出庫可能となる複数の収納庫と、複数の前記収納庫のそれぞれに設けられて前記収納庫を前記現金管理装置本体にロックするロック機構と、複数の前記ロック機構のロックを個別に解除する制御手段と、を有する現金管理装置であって、前記制御手段は、現金が入出庫される対象収納庫が複数ある場合には、複数の前記対象収納庫の前記ロック機構を共にロックが解除された状態として、複数の前記対象収納庫のそれぞれを他の対象収納庫の引き出し状態によらずに引き出し可能とし、前記対象収納庫が引き出されると、引き出されている前記対象収納庫の在り高を表示手段に表示させることを特徴とする。
【０００９】
請求項４に係る発明は、請求項１から３のいずれか一項に係る発明において、前記制御手段は、前記対象収納庫の引き出しが開始されると、引き出されている前記対象収納庫の在り高を表示手段に表示させることを特徴とする。
【００１０】
請求項５に係る発明は、請求項１乃至４のいずれか一項に係る発明において、前記制御手段は、前記対象収納庫が引き出された後に押し込まれると、当該対象収納庫に対して、現金が、前記操作手段に入力された貨幣の種類および数量にしたがって入出庫されたか否かを精査することを特徴とする。
【発明の効果】
【００１１】
請求項１〜３に係る発明によれば、制御手段は、操作手段に入力された入出庫される貨幣の種類および数量に基づいて複数の収納庫の中から現金が入出庫される対象収納庫を割り出し、対象収納庫が複数ある場合に、複数の対象収納庫のロック機構を共にロックが解除された状態として、複数の対象収納庫のそれぞれを他の対象収納庫の引き出し状態によらずに引き出し可能とする。よって、操作者は、複数の対象収納庫を共に引き出した状態としてそれぞれに対して現金の入出庫を行うことができる。したがって、処理効率の向上を図ることができる。
【００１３】
請求項１〜３に係る発明によれば、制御手段は、引き出された対象収納庫の在り高を表示手段に表示させるため、操作者が対象収納庫を引き出せば、この対象収納庫の在り高が自動的に表示手段に表示されることになる。したがって、操作者は在り高を表示させるための専用の操作が不要となり、操作効率の一層の向上を図ることができる。
【００１４】
請求項１に係る発明によれば、複数の対象収納庫が引き出されると、制御手段は表示手段に在り高を表示させる対象収納庫を画面切替で切り替えるため、複数の対象収納庫が引き出されても、これらの在り高を画面切替で表示させることができる。
【００１５】
請求項５に係る発明によれば、制御手段は、対象収納庫が引き出された後に押し込まれると、当該対象収納庫に対して、現金が、操作手段に入力された貨幣の種類および数量にしたがって入出庫されたか否かを精査することになる。よって、操作手段に入力された貨幣の種類および数量にしたがって現金が入出庫されていない場合にアラームを発生させることによって、操作者に入出庫のミスを報知することが可能となる。
【図面の簡単な説明】
【００１６】
【図１】本発明の一実施形態に係る現金管理装置を示す斜視図である。
【図２】本発明の一実施形態に係る現金管理装置を示す制御系のブロック図である。
【図３】本発明の一実施形態に係る現金管理装置の小束収納庫を示す斜視図である。
【図４】本発明の一実施形態に係る現金管理装置の棒金収納庫を示す斜視図である。
【図５】本発明の一実施形態に係る現金管理装置の棒金トレイを示す斜視図である。
【図６】本発明の一実施形態に係る現金管理装置の小束収納庫近傍を示す部分斜視図である。
【図７】本発明の一実施形態に係る現金管理装置の小束収納庫を示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図８】本発明の一実施形態に係る現金管理装置の棒金収納庫近傍を示す部分斜視図である。
【図９】本発明の一実施形態に係る現金管理装置の棒金収納庫を示す平面図であって、（Ａ）は現金管理装置本体に配置される棒金セット検知センサとの対応関係を示すもの、（Ｂ）は現金管理装置本体に配置される棒金検出ラインセンサとの対応関係を示すものである。
【図１０】本発明の一実施形態に係る現金管理装置の収納庫近傍を示す側面図である。
【図１１】本発明の一実施形態に係る現金管理装置の収納庫の前部近傍を示す部分斜視図である。
【発明を実施するための形態】
【００１７】
本発明の一実施形態に係る現金管理装置を図面を参照して以下に説明する。
【００１８】
本実施形態に係る現金管理装置１０は、店舗の係員側スペースに設置されて係員により取り扱われるものであり、より窓口カウンタに近い位置で主に小束紙幣および棒金を入出庫可能に収納するものである。
【００１９】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿ってスライド開閉可能となっている。これら収納庫１２は、前方に引き出されて開状態となり、後方に押し込まれて閉状態となり、このように前後方向にのみ所定範囲で移動可能となるように現金管理装置本体１１に連結されている。これら収納庫１２は、開状態で現金が出し入れ可能となる一方、閉状態では現金の出し入れが不可となる。
【００２０】
複数段の収納庫１２のうち、最も上側のものは、バラ貨幣収納庫１２（ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（ｂ）となっており、下側３段が棒金を収納する棒金収納庫１２（ｃ）となっている。勿論、収納庫１２の全体の数や、そのうちの小束収納庫１２（ｂ）および棒金収納庫１２（ｃ）の個々の数等は任意に設定可能であり、例えば、バラ貨幣収納庫１２（ａ）以外の全てを、小束収納庫１２（ｂ）としたり、棒金収納庫１２（ｃ）としたりすることも勿論可能である。
【００２１】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報やアラームを表示する表示部１７（表示手段）と、操作者のＩＤカードを走査するカードリーダ１８と、操作者により操作される操作キーボード１９（操作手段）と、操作者に対して操作ガイダンス等の音声やアラーム音を出力する音声発生部２０とを有している。
【００２２】
現金管理装置本体１１には、全ての収納庫１２のそれぞれに対して、収納庫１２を閉状態で個別にロックする図２に示すロック機構２２が設けられている。言い換えれば、ロック機構２２は、複数の収納庫１２のそれぞれに設けられて収納庫１２を現金管理装置本体１１に閉状態でロックする。現金管理装置本体１１には、図１に示す複数の収納庫１２のそれぞれの側方に、ロック機構２２のロック解除時のみ点灯する表示灯２３が設けられている。
【００２３】
現金管理装置本体１１には、図２に示すように、操作表示部１５、プリンタ１６、ロック機構２２および表示灯２３に接続されてこれらを制御する制御部２５（制御手段）と、収納しているバラ紙幣、バラ硬貨、棒金および小束紙幣のそれぞれの数量情報および種類情報や処理関連のデータ等を記憶する記憶部２６とが設けられている。制御部２５は、複数のロック機構２２のロックを個別に解除可能となっており、記憶部２６を用いて複数の収納庫１２の現金の収納量つまり在り高を個別に管理する。
【００２４】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図３に示す小束収納庫１２（ｂ）と図４に示す棒金収納庫１２（ｃ）とで共通となっている。
【００２５】
図３に示すように、小束収納庫１２（ｂ）は、結束された小束紙幣Ｔを入出庫可能に収納するもので、上記した枠体３４内に固定される複数、具体的には前後に５つ左右に２列の合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。
【００２６】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６と、札押さえ板４６を後壁部４２に向けて付勢する図示略の付勢部材とを有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００２７】
各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部４４に載置され、後壁部４２と札押さえ板４６とに挟持されて収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と、札押さえ板４６と、一対の側壁部４３と、底部４４とで、下方に凹む上方開口形状の束収納凹部４９が形成されることになり、小束紙幣Ｔは、束収納凹部４９にその上部開口を介して上方から挿入されて収納される。
【００２８】
なお、各小束トレイ４０は、それぞれ予め設定された単一金種の小束紙幣Ｔのみが束収納凹部４９に収納されるように決められており、よって、小束収納庫１２（ｂ）には、小束紙幣Ｔの収納位置である束収納凹部４９が金種毎に規定されている。
【００２９】
各小束トレイ４０の束収納凹部４９を構成する一対の側壁部４３間の幅は、収納対象金種の小束紙幣Ｔの長さよりも若干広い幅となっている。また、各小束トレイ４０の束収納凹部４９を構成する底部４４の高さは、いずれの小束トレイ４０においても収納対象金種の小束紙幣Ｔを載置した場合にその上端部の小束収納庫１２（ｂ）での上端部の高さ位置が一定するように設定されている。つまり、高さ（短辺方向長さ）が低い小束紙幣Ｔを収納する小束トレイ４０は、これが配置された小束収納庫１２（ｂ）での底部４４の高さ位置が高くなっており、高さが高い小束紙幣Ｔを収納する小束トレイ４０は、これが配置された小束収納庫１２（ｂ）での底部４４の高さ位置が低くなっている。ただし、各束収納凹部４９の底部４４までの深さは、収納した小束紙幣Ｔを取り出し容易とすべく上方に突出させるように設定されている。各束収納凹部４９には、それぞれの側壁部４３の上面に、収納対象の金種を目視可能に明示する金種明示部５０が設けられている。なお、日本国内で流通する紙幣の場合は、全種類、高さが一定であることから、全ての小束トレイ４０の小束収納庫１２（ｂ）における底部４４の高さ位置も一定となる。各小束トレイ４０に収納すべき設定金種を示す収納金種データは、予め設定されて記憶部２６に記憶されることになる。
【００３０】
図４に示すように、棒金収納庫１２（ｃ）は、単一金種の硬貨（貨幣）が所定枚数（５０枚）集積されて包装紙で包装されてなる棒金Ｂを入出庫可能に収納するもので、上記した枠体３４内に固定される複数、具体的には、前後に金種径に応じて６つまたは５つ、左右に４列の合成樹脂製の棒金トレイ５５を有している。
【００３１】
棒金トレイ５５は、棒金Ｂが中心軸線を上下にした立位状態で収納されるものである。棒金トレイ５５は、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００３２】
これにより、棒金トレイ５５の棒金収納凹部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。左右の棒金Ｂは前後方向の位置を互いに合わせており、中央の棒金Ｂは、これらに対して前後方向の位置をずらしている。棒金Ｂは、棒金収納凹部５９に、その上部開口を介して上方から挿入されることになり、棒金収納凹部５９の壁部５７および他の棒金Ｂで支持されて中心軸線を鉛直配置した立位状態に維持される。
【００３３】
底部５８には、各湾曲面５６と同心をなす８カ所と、これらの内側の前後２カ所とに、各棒金Ｂを載置させる円筒状の載置台部６０が上方に突出するように形成されている。載置台部６０の外径は、棒金Ｂの包装紙の加締部の内径よりも小さくされており、載置台部６０の突出高さは加締部の硬貨からの突出高さよりも高くなっている。これにより、載置台部６０は、棒金Ｂの加締部を逃げて硬貨部分を直接支持するようになっている。載置台部６０の内側は、棒金Ｂのセット検知用の、上下に貫通する貫通孔６１となっている。載置台部６０およびその内側の貫通孔６１も、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００３４】
なお、各棒金トレイ５５の棒金収納凹部５９は、それぞれ予め設定された単一金種の棒金Ｂのみが収納されるように決められている。言い換えれば、棒金収納庫１２（ｃ）には、金種毎に棒金Ｂの収納位置である棒金収納凹部５９が規定されている。各棒金トレイ５５の棒金収納凹部５９の湾曲面５６の径は、収納対象金種の棒金Ｂの外径よりも若干大径となっている。また、載置台部６０の外径は、収納対象金種の棒金Ｂの加締部の内径よりも若干小さくされており、載置台部６０の突出高さは収納対象金種の棒金Ｂの加締部の硬貨からの突出高さよりも若干高くなっている。加えて、載置台部６０の高さ位置は、いずれの棒金トレイ５５においても収納対象金種の棒金Ｂを載置した場合にその上端部の棒金収納庫１２（ｃ）での高さ位置が一定するように設定されている。つまり、長さが短い棒金Ｂを収納する棒金トレイ５５は、これが配置された棒金収納庫１２（ｃ）での載置台部６０の高さ位置が高く、長さが長い棒金Ｂを収納する棒金トレイ５５は、これが配置された棒金収納庫１２（ｃ）での載置台部６０の高さ位置が低くなっている。ただし、各棒金収納凹部５９の載置台部６０までの深さは、収納した棒金Ｂを取り出し容易とすべく上方に突出させるように設定されている。各棒金トレイ５５には、それぞれの棒金収納凹部５９より外側の上面に、収納対象の金種を目視可能に明示する金種明示部６２が設けられている。各棒金トレイ５５に収納すべき設定金種を示す収納金種データは、予め設定されて記憶部２６に記憶されることになる。
【００３５】
ここで、左右方向における同列に配置されて前後に並ぶ棒金トレイ５５は、全て収納対象金種が同一金種となっており、各列の最も前側の棒金トレイ５５は、収納本数が不足した状態でも棒金Ｂを倒さずに収納可能な端数用となっている。そして、端数用の棒金トレイ５５には、図５に示すように、棒金Ｂの転倒防止用の複数具体的には１０本の補助棒６３が隣り合う載置台部６０の間位置に立設されており、端数用であることを明示する端数明示部６４が棒金収納凹部５９より外側に形成されている。１０本の補助棒６３は、棒金収納凹部５９の中央の前後の載置台部６０を、２本共通でそれぞれを６本が囲むように配置されている。これにより、各湾曲面５６の内側に同軸に配置される棒金Ｂは、湾曲面５６とこれに対向する２本あるいは３本の補助棒６３とで単独でも立位状態に維持されることになり、棒金収納凹部５９の中央位置に配置される棒金Ｂは、それぞれ６本の補助棒６３で単独でも立位状態に維持されることになる。その結果、最も前側の棒金トレイ５５の棒金Ｂは、他の棒金Ｂがなくても転倒が防止され立位状態に維持されるようになっている。
【００３６】
ここで、最も前側を除く棒金トレイ５５には必ず棒金Ｂを満杯状態つまり１０本収納し、棒金Ｂを満杯状態以外で収納する場合には、最も前側の棒金トレイ５５に収納することがルール化されており、操作者である係員は、最も前側の棒金トレイ５５から棒金Ｂを必要数だけ取り出し、最も前側の棒金トレイ５５が空になり、その後側の棒金トレイ５５から棒金Ｂを取り出す場合には、この後側の棒金トレイ５５の残りの端数の棒金Ｂを、最も前側の棒金トレイ５５に移載するようになっている。
【００３７】
図６に示すように、現金管理装置本体１１の各小束収納庫１２（ｂ）が挿入される小束収納庫挿入空間形成部６５の下部の前端部には、図３に示す小束収納庫１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ６６が位置固定で設けられている。なお、各センサ溝４８は、束収納凹部４９における小束紙幣Ｔの結束テープｔが所定の一側（左側）にあるときの、結束テープｔの位置に合わせて形成されており、よって、各小束セット検知センサ６６も、図７（Ａ）に示すように、束収納凹部４９における小束紙幣Ｔの結束テープｔが所定の一側（左側）にあるときの、結束テープｔの位置に合わせて配置されている。なお、センサ溝４８は他側である右側にあっても、左右両側にあっても良く、いずれの場合であっても、小束セット検知センサ６６はセット検知だけではなく、帯である結束テープｔの検出センサの補助としても機能する。例えば、左側に小束セット検知センサ６６があったときに、結束テープｔも左側にあれば、小束セット検知センサ６６がその結束テープｔも検出でき、逆に結束テープｔが右側であれば、小束セット検知センサ６６が左側に結束テープｔがないことを検出できる。
【００３８】
また、図６に示すように、現金管理装置本体１１の各小束収納庫１２（ｂ）が挿入される小束収納庫挿入空間形成部６５の上部の前端部には、小束収納庫１２（ｂ）の左右２列の小束トレイ４０のそれぞれの上方近接位置に、図７（Ｂ）にも示すように、小束紙幣Ｔの左端位置を検出する左端検出ラインセンサ６７、小束紙幣Ｔの左側に結束テープｔつまり帯がある場合にこれを検出する左側帯検出ラインセンサ６８、小束紙幣Ｔの右側に結束テープｔがある場合にこれを検出する右側帯検出ラインセンサ６９および小束紙幣Ｔの右端位置を検出する右端検出ラインセンサ７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。
【００３９】
小束セット検知センサ６６は、１つの小束収納庫１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納庫１２（ｂ）に対し左右方向に並べられて２組設けられている。
【００４０】
小束セット検知センサ６６は、発光素子が検出方向を上方に向けており、上方に発光した光の上方からの反射光を対応する受光素子で受光するようになっている。その結果、各小束収納庫１２（ｂ）のそれぞれの直ぐ下に設けられた小束セット検知センサ６６が、これらの直ぐ上で前後にスライドする小束収納庫１２（ｂ）の各束収納凹部４９に収納された小束紙幣Ｔの下端部の反射光データである貨幣検出反射データをセンサ溝４８を介して取得することになる。
【００４１】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納庫１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納庫１２（ｂ）の各束収納凹部４９に収納された小束紙幣Ｔの上端部の反射光データである貨幣検出反射データを取得することになる。
【００４２】
なお、検出対象となる小束収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納庫１２（ｂ）の各束収納凹部４９の前後方向の全範囲を検出できるようになっている。小束セット検知センサ６６は、小束収納庫１２（ｂ）の開閉に伴って通過する、この小束収納庫１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納庫１２（ｂ）の開閉に伴って通過する、この小束収納庫１２（ｂ）内の小束紙幣Ｔの上端部から貨幣検出反射データを取得することになる。
【００４３】
ここで、制御部２５は、小束セット検知センサ６６の貨幣検出反射データから、反射光量が多いセンサ溝４８上の紙幣あるいは結束テープｔと、紙幣がなく反射光量が少なくなる他の部分（センサ溝４８上の空間、センサ溝４８以外の部分）とを区別することで、小束紙幣Ｔが収納されている範囲を検出する。
【００４４】
小束紙幣Ｔには、一束ずつに結束テープｔが巻回されており、この結束テープｔが上端部にも存在することから、制御部２５は、左側帯検出ラインセンサ６８および右側帯検出ラインセンサ６９の貨幣検出反射データから、反射光量が多い結束テープｔと、結束テープｔが巻回されず反射光量が少なくなる紙幣部分と、紙幣がなく反射光量がさらに少なくなる他の部分（束収納凹部４９内外の空間）とを区別することになる。
【００４５】
また、制御部２５は、左側帯検出ラインセンサ６８および右側帯検出ラインセンサ６９の貨幣検出反射データから、隣り合う小束紙幣Ｔの結束テープｔと結束テープｔとの間の反射光量が少なくなる部分や、隣り合う小束紙幣Ｔの結束テープｔと紙幣との間の反射光量が少なくなる部分を検出することで、隣り合う小束紙幣Ｔの間部分を検出する。
【００４６】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納凹部４９内外の空間）とを区別することで、紙幣部分の端部を検出した各受光素子の位置から小束紙幣Ｔの長さ方向の両端部の位置を検出する。
【００４７】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００４８】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータとを照合することで、小束収納庫１２（ｂ）内の小束紙幣Ｔの数量である数量検出データを取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００４９】
また、制御部２５は、上記検出範囲における、左端検出ラインセンサ６７および右端検出ラインセンサ７０の補正後の貨幣検出反射データと、記憶部２６に記憶された金種マスタデータとを照合することで、小束収納庫１２（ｂ）内の小束紙幣Ｔの金種である金種検出データを取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの金種検出データを取得する。
【００５０】
図８に示すように、現金管理装置本体１１の各棒金収納庫１２（ｃ）が挿入される棒金収納庫挿入空間形成部７５の下部の前端部には、棒金収納庫１２（ｃ）の左右４列の棒金トレイ５５のそれぞれの３列の貫通孔６１の直ぐ下側となる位置に、左右方向に同列で前後方向に並ぶ貫通孔６１を介して棒金Ｂのセット検知を行う光学反射型の棒金セット検知センサ７６が位置固定で設けられている。
【００５１】
また、現金管理装置本体１１の各棒金収納庫１２（ｃ）が挿入される棒金収納庫挿入空間形成部７５の上部の前端部には、棒金収納庫１２（ｃ）の左右４列の棒金トレイ５５のそれぞれの３列の載置台部６０の上方近接位置に、左右方向に同列で前後方向に並ぶ棒金Ｂの上端部を検出する、検出素子を左右方向に並べた光学反射型の棒金検出ラインセンサ７７が、それぞれ位置固定で設けられている。
【００５２】
つまり、棒金セット検知センサ７６は、図９（Ａ）にも示すように、１つの棒金収納庫１２（ｃ）に対し左右方向に並べられて１２カ所設けられ、棒金検出ラインセンサ７７は、図９（Ｂ）にも示すように、１つの棒金収納庫１２（ｃ）に対し左右方向に並べられて１２カ所設けられている。
【００５３】
棒金セット検知センサ７６は、発光素子が検出方向を上方に向けており、上方に発光した光の上方からの反射光を対応する受光素子で受光するようになっている。その結果、各棒金収納庫１２（ｃ）のそれぞれの直ぐ下に設けられた棒金セット検知センサ７６が、これらの直ぐ上で前後にスライドする棒金収納庫１２（ｃ）の各棒金収納凹部５９に収納された棒金Ｂの下端部の反射光データである貨幣検出反射データを貫通孔６１を介して取得することになる。
【００５４】
棒金検出ラインセンサ７７は、各発光素子が検出方向を下方に向けており、下方に発光した光の下方からの反射光を対応する受光素子で受光するようになっている。その結果、各棒金収納庫１２（ｃ）のそれぞれの直ぐ上に設けられた棒金検出ラインセンサ７７が、これらの直ぐ下で前後にスライドする棒金収納庫１２（ｃ）の各棒金収納凹部５９に収納された棒金Ｂの上端部の反射光データである貨幣検出反射データを取得することになる。
【００５５】
なお、検出対象となる棒金収納庫１２（ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金セット検知センサ７６および棒金検出ラインセンサ７７は、検出対象となる棒金収納庫１２（ｃ）の各棒金収納凹部５９の前後方向の全範囲を検出できるようになっている。棒金セット検知センサ７６は、棒金収納庫１２（ｃ）の開閉に伴って通過する、この棒金収納庫１２（ｃ）内の棒金Ｂの下端部から貨幣検出反射データを取得することになり、棒金検出ラインセンサ７７は、棒金収納庫１２（ｃ）の開閉に伴って通過する、この棒金収納庫１２（ｃ）内の棒金Ｂの上端部から貨幣検出反射データを取得することになる。
【００５６】
ここで、制御部２５は、棒金セット検知センサ７６の貨幣検出反射データから、反射光量が多い貫通孔６１上の棒金Ｂと、棒金Ｂがなく反射光量が少なくなる他の部分（貫通孔６１上の空間、貫通孔６１以外の部分）とを区別することで、棒金Ｂが収納されている範囲を検出する。
【００５７】
また、制御部２５は、棒金検出ラインセンサ７７の貨幣検出反射データから、反射光量が多い棒金Ｂと、反射光量が少なくなる他の部分（棒金収納凹部５９内外の空間）とを区別することになり、棒金Ｂの他の部分との境界位置である外周部を検出した各受光素子の位置から棒金Ｂの外周部の位置を検出する。また、棒金Ｂの反射光量から金種を識別することになり、反射光量が少なくなる他の部分のうち、形状、大きさおよび外周部に対する位置から棒金Ｂ内の孔であるか否かを識別することになる。
【００５８】
制御部２５は、後述するロータリエンコーダ８８で検知ディスク８７のスリットを検知する毎に棒金セット検知センサ７６および棒金検出ラインセンサ７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００５９】
そして、制御部２５は、棒金セット検知センサ７６で棒金Ｂが検出されている範囲を基準として検出範囲を設定し、この検出範囲における、棒金検出ラインセンサ７７の補正後の貨幣検出反射データと、記憶部２６に記憶された棒金Ｂ用の数量マスタデータとを照合することで、棒金収納庫１２（ｃ）内の棒金Ｂの数量である数量検出データを取得する。例えば、棒金検出ラインセンサ７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。勿論、制御部２５は、棒金セット検知センサ７６および棒金検出ラインセンサ７７の各組それぞれについて、別々に、棒金Ｂの数量検出データを取得する。
【００６０】
また、制御部２５は、上記検出範囲における、棒金検出ラインセンサ７７の補正後の貨幣検出反射データと、記憶部２６に記憶された金種マスタデータとを照合することで、棒金収納庫１２（ｃ）内の棒金Ｂの金種である金種検出データを取得する。例えば、棒金検出ラインセンサ７７の補正後の貨幣検出反射データの中で、上記のように検出し棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。勿論、制御部２５は、左右方向の位置が合う棒金セット検知センサ７６および棒金検出ラインセンサ７７の各組それぞれについて、別々に、棒金Ｂの金種検出データを取得する。
【００６１】
制御部２５は、一の小束収納庫１２（ｂ）内に収納された小束紙幣Ｔに関する数量検出データおよび金種検出データを総合して、この小束収納庫１２（ｂ）内の在り高（小束紙幣Ｔの各金種別の束数、合計金額等）を管理する。また、制御部２５は、一の棒金収納庫１２（ｃ）内に収納された棒金Ｂに関する数量検出データおよび金種検出データを総合して、この棒金収納庫１２（ｃ）内の在り高（棒金Ｂの各金種別の本数、合計金額等）を管理する。バラ貨幣収納庫１２（ａ）の在り高については、バラ貨幣収納庫１２（ａ）へのバラ紙幣、バラ硬貨の入出庫を含む入出庫取引の際に、操作キーボード１９を介して入力される、バラ紙幣の入庫数、バラ紙幣の出庫数、バラ硬貨の入庫数およびバラ硬貨の出庫数等に基づいて管理する。
【００６２】
現金管理装置本体１１には、全ての小束収納庫挿入空間形成部６５および全ての棒金収納庫挿入空間形成部７５のそれぞれの前端位置と後端位置とに、図１０に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００６３】
そして、三つの歯付プーリ８３，８４，８６にはタイミングベルト９１が巻回されており、このタイミングベルト９１には、収納庫１２のうちの挿入されたものの後端部が固定されている。これにより、収納庫１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納庫１２の開閉位相データを取得することになる。制御部２５は、この開閉位相データから収納庫１２の開閉方向およびその位置を割り出すことになり、移動量を時間で除算することで収納庫１２の開閉速度を割り出すことになる。なお、検知ディスク８７と一体回転する歯付プーリ８６の前方にはタイミングベルト９１の弛みをとるテンションプーリ９２が設けられている。
【００６４】
また、現金管理装置本体１１には、全ての小束収納庫挿入空間形成部６５および全ての棒金収納庫挿入空間形成部７５のそれぞれの後端位置に、収納庫１２のうちの挿入されたものの後端部の検知片９５を検知することで、この収納庫１２が現金管理装置本体１１に最も押し込まれた後端位置である全閉位置にあることを示す開閉位相データを取得する全閉検知センサ９６が位置固定で設けられている。現金管理装置本体１１には、小束収納庫挿入空間形成部６５および棒金収納庫挿入空間形成部７５のそれぞれの前端位置に、収納庫１２のうちの挿入されたものの後端部の検知片９５を検知することで、この収納庫１２が現金管理装置本体１１から最も引き出された前端位置である全開位置にあることを示す開閉位相データを取得する全開検知センサ９７が位置固定で設けられている。つまり、全閉検知センサ９６および全開検知センサ９７は、収納庫１２の開閉位相情報を取得する。
【００６５】
加えて、現金管理装置本体１１には、全ての小束収納庫挿入空間形成部６５および全ての棒金収納庫挿入空間形成部７５のそれぞれの前部位置に、図１１に示すように、収納庫１２のうちの挿入されたものの側板部３２から突出する係合ピン１０１に係合することでこの収納庫１２を全閉位置でロックするロック機構２２が設けられている。つまり、全ての収納庫１２のそれぞれに対して、収納庫１２を閉状態で個別にロックするロック機構２２が設けられている。
【００６６】
各ロック機構２２は、ソレノイド１０２と、ソレノイド１０２の駆動で支持軸１０３を中心に回動する鉤形のロック部材１０４とを有している。ロック部材１０４は、前端の爪部１０５が下降状態にあるとき係合ピン１０１に係合して収納庫１２を引き出し不可にロックする一方、ソレノイド１０２が電気的に駆動され、爪部１０５が上昇状態となると係合ピン１０１への係合を解除して収納庫１２を引き出し可能とし開作動を許容する状態となる。また、収納庫１２の引き出し後にソレノイド１０２の駆動が解除されると、ロック部材１０４は、爪部１０５が下降状態となり、この状態で、収納庫１２が全閉位置の戻されると、係合ピン１０１が爪部１０５を押し上げた後に下降させることになり、爪部１０５が係合ピン１０１に係合して収納庫１２を引き出し不可に自動的かつ機械的にロックする。
【００６７】
以上の構成の本実施形態に係る現金管理装置１０は、操作者が、例えば、他の入出金機に現金を補充したり、顧客に現金を渡したり、顧客から預かった現金を収納したり、顧客から受け取った現金貨幣を同額の異金種の貨幣へ両替する際等に使用される。つまり、現金管理装置１０は、操作者が、バラ硬貨、バラ紙幣、棒金Ｂおよび小束紙幣Ｔのうちの少なくともいずれか一つを現金管理装置１０から取り出す出庫時、現金管理装置１０にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出庫取引時に使用される。
【００６８】
まず、一の入出庫取引の開始にあたって、操作者が、現金管理装置１０のカードリーダ１８にＩＤカードのカード識別データを読み取らせ操作キーボード１９に操作者識別データを入力する。すると、制御部２５が、入力されたこれらのカード識別データおよび操作者識別データと一致するデータが記憶部２６に予め記憶されたカード識別のマスタデータおよび操作者識別のマスタデータにあるか否かを判定し、いずれか一方でもマスタデータにない場合、表示部１７にその旨のアラームを表示させるとともに音声発生部２０にアラーム音を発生させる。
【００６９】
入力されたカード識別データおよび操作者識別データと一致するカード識別および操作者識別のマスタデータがある場合、制御部２５は、日時情報を含むこの一の入出庫取引の取引識別データを設定するとともに、この一の入出庫取引に必要な種類入力データ、区別データおよび数量入力データの入力を促す表示を、表示部１７に表示させる。ここで、種類入力データは、金種およびその状態（バラ、棒金、小束）を示すものであり、区別データは、種類入力データが入庫であるか出庫であるかを示すものであり、数量入力データは、種類入力データの数量を示すものである。一の入出庫取引で入力される種類入力データ、区別データおよび数量入力データの組は、一組および複数組の両方の場合がある。操作者が、操作キーボード１９に、これらの情報を入力すると、制御部２５は、入力データを確定する確定操作を促す表示を表示部１７に表示させる。
【００７０】
これを見た操作者によって確定操作が操作キーボード１９に入力されると、制御部２５は、この一の入出庫取引の上記した種類入力データ、区別データおよび数量入力データを表示部１７に表示させるとともに、先に設定したこの一の入出庫取引の取引識別データに関連付けて、この一の入出庫取引で入力された操作者識別データと、この一の入出庫取引にて入力された上記の種類入力データ、区別データおよび数量入力データとを記憶部２６に記憶する。
【００７１】
制御部２５は、この一の入出庫取引にて入力された種類入力データ、区別データおよび数量入力データに基づいて、バラ貨幣収納庫１２（ａ）、全ての小束収納庫１２（ｂ）および全ての棒金収納庫１２（ｃ）の中から、この一の入出庫取引にて現金が入出庫される対象収納庫１２を割り出す。そして、割り出した対象収納庫１２をロックするロック機構２２のロックを解除して、割り出した対象収納庫１２を現金管理装置本体１１から引き出し可能とする。
【００７２】
例えば、この一の入出庫取引にて入力された種類入力データに、バラ紙幣およびバラ硬貨の少なくともいずれか一方が含まれる場合、制御部２５は、バラ貨幣収納庫１２（ａ）を対象収納庫１２とし、このバラ貨幣収納庫１２（ａ）をロックしているロック機構２２のロックを解除する。これにより、このバラ貨幣収納庫１２（ａ）が現金管理装置本体１１から引き出し可能となる。それとともに、制御部２５は、このバラ貨幣収納庫１２（ａ）用のその側方にある表示灯２３を点灯させる。
【００７３】
また、例えば、この一の入出庫取引にて入力された種類入力データに小束紙幣Ｔが含まれる場合、制御部２５は、含まれる金種の小束紙幣Ｔを収納している小束収納庫１２（ｂ）を対象収納庫１２とし、この小束収納庫１２（ｂ）をロックしているロック機構２２のロックを解除する。これにより、この小束収納庫１２（ｂ）が現金管理装置本体１１から引き出し可能となる。それとともに、制御部２５は、この小束収納庫１２（ｂ）用のその側方にある表示灯２３を点灯させる。
【００７４】
また、この一の入出庫取引にて入力された種類入力データに棒金Ｂが含まれる場合、制御部２５は、含まれる金種の棒金Ｂを収納している棒金収納庫１２（ｃ）を対象収納庫１２とし、この棒金収納庫１２（ｃ）をロックしているロック機構２２のロックを解除する。これにより、この棒金収納庫１２（ｃ）が現金管理装置本体１１から引き出し可能となる。それとともに、制御部２５は、この棒金収納庫１２（ｃ）用のその側方にある表示灯２３を点灯させる。
【００７５】
ここで、この一の入出庫取引にて入力された種類入力データ、区別データおよび数量入力データに基づいて、割り出した対象収納庫１２が複数ある場合に、制御部２５は、割り出した全ての対象収納庫１２のロック機構２２を共にロックが解除された状態とする。これにより、全ての対象収納庫１２のそれぞれが、他の対象収納庫１２の引き出し状態によらずに現金管理装置本体１１から引き出し可能となる。言い換えれば、全ての対象収納庫１２は、現金管理装置本体１１から共に引き出された状態になることが可能となる。これに対して、バラ貨幣収納庫１２（ａ）、全ての小束収納庫１２（ｂ）および全ての棒金収納庫１２（ｃ）のうち、対象収納庫１２以外の収納庫１２については、制御部２５が、いずれもロック機構２２のロックを解除せず、引き出し不可とする。これにより、操作者は、複数の対象収納庫１２を共に現金管理装置本体１１から引き出した状態として、それぞれの入出庫を並行して行うことが可能となる。
【００７６】
例えば、操作者が一の入出庫取引で、一万円のバラ紙幣一枚を、二本の１００円の棒金Ｂに両替する場合には、一万円のバラ紙幣を示す種類入力データ、入庫を示す区別データおよび一枚を示す数量入力データを入力し、１００円の棒金を示す種類入力データ、出庫を示す区別データおよび二本を示す数量入力データを入力する。すると、制御部２５は、バラ貨幣収納庫１２（ａ）および１００円の棒金Ｂを収納している棒金収納庫１２（ｃ）を、現金が入出庫される対象収納庫１２として割り出し、共にロック機構２２のロックを解除する。すると、操作者は、これらを共に開いた状態として、一万円のバラ紙幣一枚をバラ貨幣収納庫１２（ａ）に収納し、１００円の棒金Ｂ二本を棒金収納庫１２（ｃ）から取り出すという入出庫作業を行う。勿論、一万円のバラ紙幣一枚をバラ貨幣収納庫１２（ａ）に収納しバラ貨幣収納庫１２（ａ）を閉じてから、１００円の棒金Ｂを収納している棒金収納庫１２（ｃ）を引き出してこの棒金収納庫１２（ｃ）から１００円の棒金Ｂ二本を取り出すという入出庫作業も可能であり、逆の手順での入出庫作業も可能である。
【００７７】
この一の入出庫取引において、制御部２５は、バラ貨幣収納庫１２（ａ）、全ての小束収納庫１２（ｂ）および全ての棒金収納庫１２（ｃ）の中から、この一の入出庫取引の対象収納庫１２のみについて、この一の入出庫取引直前の在り高を表示部１７に表示させる。
【００７８】
具体的に、制御部２５は、現金管理装置本体１１からの引き出しが開始されたことを全閉検知センサ９６およびロータリエンコーダ８８の検知結果から認識した対象収納庫１２のみの、引き出し直前の在り高を表示部１７に表示させる。複数の対象収納庫１２が現金管理装置本体１１から共に引き出された場合、制御部２５は、これらの引き出された対象収納庫１２の、それぞれの引き出し直前の在り高を表示部１７に切替表示により表示させる。つまり、引き出されている一の対象収納庫１２の引き出し直前の在り高を表示部１７に表示させ、操作キーボード１９の表示切替ボタンが一回操作されると、引き出されている他の対象収納庫１２の引き出し直前の在り高を表示部１７に表示させるというように、操作キーボード１９の表示切替ボタンが操作される度に、各対象収納庫１２の引き出し直前の在り高を切り替えて表示部１７に表示させる。なお、引き出されている全ての対象収納庫１２の引き出し直前の在り高を同時に表示部１７に表示させても良い。また、この一の入出庫取引の対象収納庫１２の、この一の入出庫取引直前の在り高を、対象収納庫１２の引き出し状態によらずに全て表示部１７に表示させても良く、その場合、同時に表示部１７に表示させたり、上記と同様に切替表示により表示させることが可能である。
【００７９】
制御部２５は、この一の入出庫取引にて入力された種類入力データに、一の小束収納庫１２（ｂ）に収納されている小束紙幣Ｔが含まれる場合、この一の小束収納庫１２（ｂ）を対象収納庫１２として、これをロックしているロック機構２２のロックを解除するとともにその表示灯２３を点灯させることになる。すると、この一の小束収納庫１２（ｂ）の現金管理装置本体１１からの引き出しが開始されることになる。制御部２５は、この一の小束収納庫１２（ｂ）用の全閉検知センサ９６およびロータリエンコーダ８８および全開検知センサ９７の開閉位相データからこの一の小束収納庫１２（ｂ）の引き出し開始および開閉位置を検出することになり、これらの開閉位相データからこの一の小束収納庫１２（ｂ）が後端位置から前端位置まで移動したか否かを判断する。
【００８０】
つまり、制御部２５は、全閉検知センサ９６、ロータリエンコーダ８８および全開検知センサ９７の開閉位相データに基づき、ロータリエンコーダ８８が検知ディスク８７の回転の検知を開始し且つ全閉検知センサ９６が検知片９５を検知しない状態となると、引き出しが開始されたことを検出することになる。その後、ロータリエンコーダ８８が検知ディスク８７の回転の検知を停止し且つ全開検知センサ９７が検知片９５を検知する状態となると、制御部２５は、この一の小束収納庫１２（ｂ）が後端位置から前端位置まで開庫された正常開動作を検出する。
【００８１】
なお、この一の小束収納庫１２（ｂ）が、後端位置にある全閉状態から引き出しが開始された後、前端位置に位置する全開状態とならずに後端位置に戻ったことを、全閉検知センサ９６、ロータリエンコーダ８８および全開検知センサ９７の開閉位相データに基づいて検出すると、制御部２５は、正常開動作と判断せず、表示部１７にアラームを表示させるとともに音声発生部２０でアラーム音を発生させ、再びこの一の小束収納庫１２（ｂ）をロックしているロック機構２２のロックを解除するとともに、その表示灯２３を点灯させる。これにより、この一の小束収納庫１２（ｂ）が引き出し可能となる。アラームを受けて、操作者は、この一の小束収納庫１２（ｂ）についての入出庫をやり直す。
【００８２】
ここで、この一の小束収納庫１２（ｂ）の現金管理装置本体１１からの引き出しが開始されたことを全閉検知センサ９６およびロータリエンコーダ８８の検知結果から検出すると、制御部２５は、この一の小束収納庫１２（ｂ）の引き出し直前の在り高を表示部１７に表示させる。操作者は、表示部１７に表示された在り高を必要により参照しつつこの一の小束収納庫１２（ｂ）に対する小束紙幣Ｔの入出庫を行う。
【００８３】
この一の小束収納庫１２（ｂ）のみが現金管理装置本体１１から引き出された状態では、制御部２５は、全ての収納庫１２のそれぞれの在り高のうち、この一の小束収納庫１２（ｂ）の在り高のみを表示部１７に表示させる。また、この一の入出庫取引の対象収納庫１２に、この一の小束収納庫１２（ｂ）以外の、バラ貨幣収納庫１２（ａ）、小束収納庫１２（ｂ）および棒金収納庫１２（ｃ）のいずれか一つが含まれていて、他の対象収納庫１２が、この一の小束収納庫１２（ｂ）と共に現金管理装置本体１１から引き出されていると、制御部２５は、この一の小束収納庫１２（ｂ）の在り高と、引き出された他の対象収納庫１２の在り高とを表示部１７に切替表示により表示させる。
【００８４】
前端位置に位置する全開状態になった後、ロータリエンコーダ８８が検知ディスク８７の回転の検知を開始し且つ全開検知センサ９７が検知片９５を検知しない状態となることで、この一の小束収納庫１２（ｂ）の閉方向の移動開始を検出すると、制御部２５は、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納庫１２（ｂ）が後端位置に位置する全閉状態になったことが検出されると、貨幣検出反射データの取り込みを終了させる。
【００８５】
そして、この一の小束収納庫１２（ｂ）の前端位置から後端位置に閉庫されたことが検出されると、制御部２５は、この一の小束収納庫１２（ｂ）の表示灯２３を消灯し、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組についての閉庫時の貨幣検出反射データから、上記のようにして、この一の小束収納庫１２（ｂ）の各束収納凹部４９に収納された小束紙幣Ｔの数量検出データおよび個々の小束紙幣Ｔの金種検出データを取得する。
【００８６】
取得後、制御部２５は、今回取得した金種別の数量検出データと、前回の入出庫取引時に記憶部２６に記憶されたこの一の小束収納庫１２（ｂ）の金種別の数量検出データとから、この一の小束収納庫１２（ｂ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引に対して入力された、種類入力データ、区別データおよび数量入力データを総合した金種別の数量入力データと照合し、差異が存在したか否かを判定する。つまり、この一の小束収納庫１２（ｂ）に関する入出庫の金種別の数量実取引データと、この一の小束収納庫１２（ｂ）に関する入出庫の金種別の数量入力データとが一致すれば、差異は存在しないと判定し、それ以外は、差異が発生したと判定する。このように、制御部２５は、対象収納庫１２であるこの一の小束収納庫１２（ｂ）が引き出された後に押し込まれると、この一の小束収納庫１２（ｂ）に対して、現金が、操作キーボード１９に入力された種類入力データ、区別データおよび数量入力データにしたがって入出庫されたか否かを精査する。
【００８７】
この一の小束収納庫１２（ｂ）において、金種別の数量実取引データと金種別の数量入力データとに差異が存在すると、制御部２５は、表示部１７にアラームを表示させるとともに音声発生部２０でアラーム音を発生させて、再びこの一の小束収納庫１２（ｂ）をロックしているロック機構２２のロックを解除するとともに、その表示灯２３を点灯させる。これにより、この一の小束収納庫１２（ｂ）が引き出し可能となる。アラームを受けて、操作者は、この一の小束収納庫１２（ｂ）についての入出庫をやり直す。
【００８８】
なお、この一の入出庫取引にて入力された金種入力データに他の小束収納庫１２（ｂ）に収納されている小束紙幣Ｔの金種が含まれている場合、制御部２５は、上記した一の小束収納庫１２（ｂ）と同様の処理を他の小束収納庫１２（ｂ）に対しても行うことになる。
【００８９】
また、制御部２５は、この一の入出庫取引にて入力された種類入力データに、一の棒金収納庫１２（ｃ）に収納されている棒金Ｂが含まれる場合、この一の棒金収納庫１２（ｃ）を対象収納庫１２としてこれをロックしているロック機構２２のロックを解除するとともにその表示灯２３を点灯させることになる。すると、この一の棒金収納庫１２（ｃ）の現金管理装置本体１１からの引き出しが開始されることになる。制御部２５は、この一の棒金収納庫１２（ｃ）用の全閉検知センサ９６、ロータリエンコーダ８８および全開検知センサ９７の開閉位相データからこの一の棒金収納庫１２（ｃ）の引き出し開始および開閉位置を検出することになり、これらの開閉位相データからこの一の棒金収納庫１２（ｃ）が後端位置から前端位置まで移動したか否かを判断する。
【００９０】
つまり、制御部２５は、全閉検知センサ９６、ロータリエンコーダ８８および全開検知センサ９７の開閉位相データに基づき、ロータリエンコーダ８８が検知ディスク８７の回転の検知を開始し且つ全閉検知センサ９６が検知片９５を検知しない状態となると、引き出しが開始されたことを検出することになる。その後、ロータリエンコーダ８８が検知ディスク８７の回転の検知を停止し且つ全開検知センサ９７が検知片９５を検知する状態となると、制御部２５は、この一の棒金収納庫１２（ｃ）が後端位置から前端位置まで開庫された正常開動作を検出する。
【００９１】
なお、この一の棒金収納庫１２（ｃ）が、後端位置にある全閉状態から引き出しが開始された後、前端位置に位置する全開状態とならずに後端位置に戻ったことを、全閉検知センサ９６、ロータリエンコーダ８８および全開検知センサ９７の開閉位相データに基づいて検出すると、制御部２５は、正常開動作と判断せず、表示部１７にアラームを表示させるとともに音声発生部２０でアラーム音を発生させ、再びこの一の棒金収納庫１２（ｃ）をロックしているロック機構２２のロックを解除するとともに、その表示灯２３を点灯させる。これにより、この一の棒金収納庫１２（ｃ）が引き出し可能となる。アラームを受けて、操作者は、この一の棒金収納庫１２（ｃ）についての入出庫をやり直す。
【００９２】
ここで、この一の棒金収納庫１２（ｃ）の現金管理装置本体１１からの引き出しが開始されたことを全閉検知センサ９６およびロータリエンコーダ８８の検知結果から検出すると、制御部２５は、この一の棒金収納庫１２（ｃ）の引き出し直前の在り高を表示部１７に表示させる。操作者は、表示部１７に表示された在り高を必要により参照しつつこの一の棒金収納庫１２（ｃ）に対する棒金Ｂの入出庫を行う。
【００９３】
この一の棒金収納庫１２（ｃ）のみが現金管理装置本体１１から引き出された状態では、制御部２５は、全ての収納庫１２のそれぞれの在り高のうち、この一の棒金収納庫１２（ｃ）の在り高のみを表示部１７に表示させる。また、この一の入出庫取引の対象収納庫１２に、この一の棒金収納庫１２（ｃ）以外の、バラ貨幣収納庫１２（ａ）、小束収納庫１２（ｂ）および棒金収納庫１２（ｃ）のいずれか一つが含まれていて、他の対象収納庫１２が、この一の棒金収納庫１２（ｃ）と共に現金管理装置本体１１から引き出されていると、制御部２５は、この一の棒金収納庫１２（ｃ）の在り高と、引き出された他の対象収納庫１２の在り高とを表示部１７に切替表示により表示させる。
【００９４】
この一の棒金収納庫１２（ｃ）が、前端位置に位置する全開状態になった後、ロータリエンコーダ８８が検知ディスク８７の回転の検知を開始し且つ全開検知センサ９７が検知片９５を検知しない状態となることで、この一の棒金収納庫１２（ｃ）の閉方向の移動開始を検出すると、制御部２５は、この一の棒金収納庫１２（ｃ）に対して設けられた全ての棒金セット検知センサ７６および全ての棒金検出ラインセンサ７７を駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の棒金収納庫１２（ｃ）が後端位置に閉庫されたことが検出されると、貨幣検出反射データの取り込みを終了させる。
【００９５】
そして、この一の棒金収納庫１２（ｃ）の前端位置から後端位置に閉庫された正常開閉動作が検出されると、制御部２５は、この一の棒金収納庫１２（ｃ）の表示灯２３を消灯し、この一の棒金収納庫１２（ｃ）に対して設けられた全ての棒金セット検知センサ７６および全ての棒金検出ラインセンサ７７についての閉庫時の貨幣検出反射データから、上記のようにして、この一の棒金収納庫１２（ｃ）の各棒金収納凹部５９に収納された棒金Ｂの数量検出データおよび個々の棒金Ｂの金種検出データを取得する。
【００９６】
取得後、制御部２５は、今回取得した金種別の数量検出データと、前回の入出庫取引時に記憶部２６に記憶されたこの一の棒金収納庫１２（ｃ）の金種別の数量検出データとから、この一の棒金収納庫１２（ｃ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引で入力された種類入力データ、区別データおよび数量入力データを総合した金種別の数量入力データと照合し、差異が存在したか否かを判定する。つまり、この一の棒金収納庫１２（ｃ）についての金種別の数量実取引データと、この一の棒金収納庫１２（ｃ）についての金種別の数量入力データとが一致すれば、差異は存在しないと判定し、それ以外は、差異が発生したと判定する。このように、制御部２５は、対象収納庫１２であるこの一の棒金収納庫１２（ｃ）が引き出された後に押し込まれると、この一の棒金収納庫１２（ｃ）に対して、現金が、操作キーボード１９に入力された種類入力データ、区別データおよび数量入力データにしたがって入出庫されたか否かを精査する。
【００９７】
この一の棒金収納庫１２（ｃ）において、金種別の数量実取引データと金種別の数量入力データとに差異が存在すると、制御部２５は、表示部１７にアラームを表示させるとともに音声発生部２０でアラーム音を発生させて、再びこの一の棒金収納庫１２（ｃ）をロックしているロック機構２２のロックを解除するとともに、その表示灯２３を点灯させる。これにより、この一の棒金収納庫１２（ｃ）が引き出し可能となる。アラームを受けて、操作者は、この一の棒金収納庫１２（ｃ）についての入出庫をやり直す。
【００９８】
なお、この一の入出庫取引にて入力された金種入力データに他の棒金収納庫１２（ｃ）に収納されている棒金Ｂの金種が含まれている場合、制御部２５は、上記した一の棒金収納庫１２（ｃ）と同様の処理を他の棒金収納庫１２（ｃ）に対しても行うことになる。
【００９９】
最後に、制御部２５は、バラ貨幣収納庫１２（ａ）、全ての小束収納庫１２（ｂ）および全ての棒金収納庫１２（ｃ）のうち、この一の入出庫取引にて入力された種類入力データに含まれる貨幣を収納しているもの全てについて、正常に入出庫取引が終了したと判断すると、今回の一の入出庫取引が終了したと判断する。
【０１００】
以上に述べた本実施形態に係る現金管理装置１０によれば、制御部２５は、操作キーボード１９に入力された入出庫される貨幣の種類および数量に基づいて複数の収納庫１２の中から現金が入出庫される対象収納庫１２を割り出し、対象収納庫１２が複数ある場合に、複数の対象収納庫１２のロック機構２２を共にロックが解除された状態として、複数の対象収納庫１２のそれぞれを他の対象収納庫１２の引き出し状態によらずに引き出し可能とする。よって、操作者は、複数の対象収納庫１２を共に現金管理装置本体１１から引き出した状態としてそれぞれに対して現金の入出庫を行うことができる。したがって、一の対象収納庫１２を開けて入出庫を行い、これを閉じてから、他の対象収納庫１２を開けて入出庫を行うといった作業が必要ではなく、処理効率の向上を図ることができる。
【０１０１】
また、制御部２５は、複数の収納庫１２の現金の在り高を個別に管理しており、対象収納庫１２の在り高を表示部１７に表示させるため、複数の収納庫１２の中から現金が入出庫される対象収納庫１２を割り出すと、対象収納庫１２の在り高が自動的に表示部１７に表示されることになる。したがって、操作者は在り高を表示させるための専用の操作が不要となり、操作効率の一層の向上を図ることができる。
【０１０２】
また、制御部２５は、引き出された対象収納庫１２の在り高を表示部１７に表示させるため、操作者が対象収納庫１２を引き出せば、この対象収納庫１２の在り高が自動的に表示部１７に表示されることになる。したがって、操作者は在り高を表示させるための専用の操作が不要となり、操作効率の一層の向上を図ることができる。加えて、引き出していない対象収納庫１２の在り高を表示部１７に表示させることがないため、操作者の在り高の認識ミスを防止することができる。
【０１０３】
また、複数の対象収納庫１２が引き出されると、制御部２５は表示部１７に在り高を表示させる対象収納庫１２を画面切替で切り替えるため、複数の対象収納庫１２が引き出されても、これらの在り高を画面切替で表示させることができる。
【０１０４】
また、制御部２５は、対象収納庫１２が引き出された後に押し込まれると、当該対象収納庫１２に対して、現金が、操作キーボード１９に入力された貨幣の種類および数量にしたがって入出庫されたか否かを精査することになる。よって、現金が、操作キーボード１９に入力された貨幣の種類および数量にしたがって入出庫されていない場合にアラームを発生させることによって、操作者に入出庫のミスを報知することが可能となる。
【符号の説明】
【０１０５】
１０  現金管理装置
１１  現金管理装置本体
１２  収納庫
１７  表示部（表示手段）
１９  操作キーボード（操作手段）
２２  ロック機構
２５  制御部
Ｂ  棒金
Ｔ  小束紙幣
【図１】
0006312321.tif 000002
【図２】
0006312321.tif 000003
【図３】
0006312321.tif 000004
【図４】
0006312321.tif 000005
【図５】
0006312321.tif 000006
【図６】
0006312321.tif 000007
【図７】
0006312321.tif 000008
【図８】
0006312321.tif 000009
【図９】
0006312321.tif 000010
【図１０】
0006312321.tif 000011
【図１１】
0006312321.tif 000012